(57)【要約】【課題】確実な防水性能が得られた上で、相手コネクタとの位置ずれを吸収することができる防水コネクタの提供。【解決手段】本発明の防水コネクタ１は、コネクタハウジング６が、端子４を収容する端子収容部９と、この端子収容部９に連続して設けられて電線２の芯線部５が収容される芯線収容部１０と、電線２の被覆端末１１が挿入される被覆端末挿入１２とで形成され、被覆端末挿入部１２に防水区画壁１３を設けて、芯線収容部１０と端子収容部９内を防水状態とすると共に、芯線収容部１０に、電線２端末３の芯線部５が内部で遊動可能となるように芯線部５周囲に空洞部１４を設けた。【選択図】図２
2013232369.tif 000002
【特許請求の範囲】
【請求項１】
電線端末に接続される端子と、この端子に接続された電線の芯線部とが内部に収容されるコネクタハウジングを有する防水コネクタであって、
前記コネクタハウジングは、前記端子を収容する端子収容部と、この端子収容部に連続して設けられて前記電線の芯線部が収容される芯線収容部と、前記電線の被覆端末が挿入される被覆端末挿入部とで形成され、
前記被覆端末挿入部に防水区画壁を設けて、前記芯線収容部と前記端子収容部内を防水状態とすると共に、
前記芯線収容部に、前記電線端末の芯線部が内部で遊動可能となるように前記芯線部周囲に空洞部を設けたことを特徴とする防水コネクタ。
【請求項２】
請求項１記載の防水コネクタであって、
前記端子は、相手端子が挿入される相手端子接続箱部と、前記電線の芯線部が接続される芯線接続端子板部とで形成されていることを特徴とする防水コネクタ。
【請求項３】
請求項１又は請求項２記載の防水コネクタであって、
前記端子収容部には相手端子挿入開口が形成され、前記芯線収容部には電線引出開口が形成され、
前記電線引出開口は、後壁部材で閉塞されていることを特徴とするコネクタ。
【発明の詳細な説明】
【技術分野】
【０００１】
本発明は、コネクタハウジング内に電線端末とこの電線端末に接続された端子が防水状態で収納される防水コネクタに関する。
【背景技術】
【０００２】
コネクタハウジング内に、電線端末部分と、この電線端末部分に接続された端子が収納されるコネクタにおいては、電線の表面を伝わる水の浸入を防止する構造が用いられている。
【０００３】
特許文献１では、コネクタハウジング内に樹脂を充槇することで、電線端末部分とコネクタハウジングの内壁との空間を無くし、電線の表面を伝わる水が電線端末及びこの電線端末に接続された端子まで伝わらないようにしている。
【０００４】
また、電線端末と、電線端末に接続された端子とをコネクタハウジングの成型時に一体成型する、いわゆるモールドタイプとした防水コネクタも提案されている。
【先行技術文献】
【特許文献】
【０００５】
【特許文献１】特開平９−１０６８５４号公報
【発明の概要】
【発明が解決しようとする課題】
【０００６】
ところが、防水のためにコネクタハウジング内に樹脂を充槇したり、コネクタハウジングと一体に電線端末や電線端末の端子を一体成型したコネクタでは、相手コネクタと嵌合する際に、嵌合位置がお互いにずれていると相手コネクタ側の端子と電線端末の端子との間に隙間が生じたり、嵌合の際に互いに当接してしまう。
【０００７】
すなわち、防水のために樹脂を充槇したり、コネクタハウジングと一体成型すると、電線端末と端子の位置が固定されてしまうので、相手コネクタとの嵌合の際に相手コネクタとの嵌合位置のずれを吸収することができないという問題がある。
【０００８】
そこで、本発明は、確実な防水性能が得られた上で、相手コネクタとの位置ずれを吸収することができる防水コネクタの提供を目的とする。
【課題を解決するための手段】
【０００９】
請求項１の発明の防水コネクタは、電線端末に接続される端子と、この端子に接続された電線の芯線部とが内部に収容されるコネクタハウジングを有するコネクタであって、前記コネクタハウジングは前記端子を収容する端子収容部と、この端子収容部に連続して設けられて前記電線の芯線部が収容される芯線収容部と、前記電線の被覆端末が挿入される被覆端挿入部とで形成され、前記被覆端末挿入部に防水区画壁を設けて、前記芯線収容部と前記端子収容部内を防水状態とすると共に、前記芯線収容部に、前記電線端末の芯線部が内部で遊動可能となるように前記芯線部周囲に空洞部を設けたことを特徴とする。
【００１０】
請求項２の発明の防水コネクタは、請求項１記載のコネクタであって、前記端子は、相手端子が挿入される相手端子接続箱部と、前記電線の芯線部が接続される芯線接続板部とで形成されていることを特徴とする。
【００１１】
請求項３の発明の防水コネクタは、請求項１又は請求項２記載のコネクタであって、前記端子収容部には相手端子挿入開口が形成され、前記芯線収容部には電線引出開口が形成され、前記電線引出開口は、後壁部材で閉塞されていることを特徴とする。
【発明の効果】
【００１２】
請求項１の発明によれば、相手コネクタと嵌合し、相手コネクタの端子と電線端末の端子とを接続する際に、嵌合位置にずれが生じていても、電線端末の芯線部の周囲に空洞部が形成されているので相手コネクタの端子の位置に合わせて電線端末の端子が追従することができる。従って、相手コネクタとの嵌合位置のずれを吸収することができる。この場合、被覆端末挿入部に防水区画壁が設けられているので、芯線収容部内は確実な防水がなされている。従って、確実な防水性能が得られた上で、相手コネクタとの位置ずれを吸収することができる。
【００１３】
請求項２の発明によれば、相手コネクタの相手端子が、相手端子接続箱部に挿入される際に、位置ずれが生じていても芯線収容部内の芯線部が遊動可能となっているので、相手端子の挿入によって端子が移動しても芯線部が追従する。
【００１４】
請求項３の発明によれば、防水区画壁に加えて、後壁部材によって電線引出側が閉塞さているので、より確実な防水性能が得られる。
【図面の簡単な説明】
【００１５】
【図１】本発明の実施例に係る防水コネクタを示す分解斜視図である。
【図２】本発明の実施例に係る防水コネクタのコネクタハウジングの内部を示す断面図である。
【発明を実施するための形態】
【００１６】
以下、本発明の実施形態を図面に基づいて説明する。
【００１７】
図１及び図２に示すように、防水コネクタ１は、電線２の端末３に接続される端子４と、この端子４に接続された電線２の芯線部５とが内部に収容されるコネクタハウジング６を有している。また、コネクタハウジング６の電線引出側７の後端側はシールドシェル８で外周が囲まれており、コネクタハウジング６の後端側がシールドされている。
【００１８】
コネクタハウジング６は、端子４を収容する端子収容部９と、この端子収容部９に連続して設けられて電線２の芯線部５が収容される芯線収容部１０と、電線２の被覆端末１１が挿入される被覆端末挿入部１２とで形成されている。また、被覆端末挿入部１２には、防水区画壁１３が設けられ、芯線収容部１０と端子収容部９内を防水状態としている。さらに、芯線収容部１０には、電線２の端末３の芯線部５が内部で遊動可能となるように芯線部５の周囲に空洞部１４が設けられている。
【００１９】
コネクタハウジング６の端子収容部９は筒状で先端側に、相手端子（不図示）が挿入される相手端子挿入開口１５が形成されている。この端子収容部９の後端側に芯線収容部１０、被覆端末挿入部１２が形成されている。端子収容部９内には、電線２の端末に接続される端子４が収容されている。
【００２０】
端子４は、相手端子が挿入されて接続される箱状の相手端子接続箱部１６と、この相手端子接続箱部１６の後端側に電線２の芯線部５の端末が溶着される芯線接続端子板部１７とが形成されている。芯線接続端子板部１７に接続された芯線部５は、芯線収容部１０に収容されている。
【００２１】
芯線収容部１０は、電線２の芯線部５が直線状に収容される直線部収容領域１８と、芯線部５が略直角に折り曲げられた状態で収容される曲線部収容領域１９とで形成されている。曲線部収容領域１９には電線引出開口２０と、この電線引出開口２０と連続して下方側に開口する被覆端末挿入部１２とが形成されている。これらの電線引出開口２０と被覆端末挿入部１２は、後壁部材２１によって閉塞されている。
【００２２】
後壁部材２１は、閉塞板部２２とこの閉塞板部２２と一体に形成された電線挿通板部２３とで略L字状に形成されている。閉塞板部２２は、曲線部収容領域１９の後端側を完全に閉塞する。電線挿通板部２３には、電線２が被覆端末１１と共に挿通する挿通穴２４、２４が形成されている。この後壁部材２１の外側に防水区画壁１３が組み付けられている。
【００２３】
防水区画壁１３は、電線挿通板部２３の外側に重ねて組み付けられる閉塞板部２５と、この閉塞板部２５から立設されて後壁部材２１の係合凹部２６に係止される枠部２７とで形成されている。閉塞板部２５には、電線２が被覆部分とともに挿通される電線挿通穴２８、２８が形成されている。
【００２４】
そして、端子収容部９、芯線収容部１０内は、後壁部２１の閉塞板部２２と電線挿通板部２３とで内部が防水構造となっており、防水区画壁１３によって電線２の表面を伝わる水の内部への浸入が阻止されている。
【００２５】
なお、この防水区画壁１３は後壁部材２１と一体成型しても良く、後壁部材２１とコネクタは６とを一体成型する際に防水区画壁１３を一体成型しても良い。
【００２６】
コネクタハウジング６の後端側のシールドシェル８は、コネクタハウジング６の上部側を覆うアッパーシェル２９と、被覆端末挿入部１２側を覆うアンダーシェル３０とで形成されている。アッパーシェル２９には、インバータケース（不図示）に固定される固定ブラケット３１が一体に設けられ、この固定ブラケット３１には、ボルト挿通穴３２、３２が設けられている。そして、インバーターケースにボルト止めされることでシールドシェル８がインバーターケースに固定され、コネクタハウジング６の後端側の一部をシールドする。
【００２７】
また、アッパーシェル２９とアンダーシェル３０とは、挟持部材３３、３３よって挟持固定されることで一体に形成されている。
【００２８】
なお、図１において符号３４は、コネクタハウジング６の中間部に設けられた溝６ａに装着されるシール部材であり、このシール部材は、インバーターケースとコネクタハウジング６の外周との間をシールする。
【００２９】
図２に示す状態のコネクタハウジング６をインバーターケース側の相手コネクタに嵌合すると、相手コネクタの相手端子が、相手端子接続箱部６内に挿入され接続されることで、電線２の端末３がインバータケース内の回路体等と接続される。
【００３０】
防水コネクタ１をインバータケース側の相手コネクタと嵌合する際に、相手コネクタの端子との間に嵌合位置の位置ずれが生じている場合には、端子４の相手端子接続箱部１６の位置が端子収容部９内でずれる（移動する）。この端子４の移動に追従して、芯線部５は、芯線部５の周囲の空洞部１４内で移動する。
【００３１】
従って、嵌合位置にずれが生じていても、電線２の端末の芯線部５の周囲に空洞部１４が形成されているので相手コネクタの端子の位置に合わせて電線２の端末の端子４がずれることができる。これにより、相手コネクタとの嵌合位置のずれを吸収することができる。この場合、被覆端末挿入部１２に防水区画壁１３が設けられているので、芯線収容部１０内は確実な防水がなされている。
【００３２】
よって、確実な防水性能が得られた上で、相手コネクタとの位置ずれを吸収することができる。
【符号の説明】
【００３３】
１  防水コネクタ
２  電線
３  端末
４  端子
５  芯線部
６  コネクタハウジング
９  端子収容部
１０  芯線収容部
１１  被覆端末
１２  被覆端末挿入部
１３  防水区画壁
１４  空洞部
２１  後壁部
【図１】
2013232369.tif 000003
【図２】
2013232369.tif 000004